(57)【特許請求の範囲】
【請求項１】
取付面に取り付けられる器具本体と；
器具本体の長手方向両端部と対向する内側板と、内側板と対向するように設けられる外側板と、ソケットと、を一体に形成してなり内端縁部に凹状段部が形成されたソケットユニットと；
ソケットユニットを器具本体に着脱自在かつ取付高さ調節自在に装着せしめ、器具本体と取付面とに間隙が形成された場合には、ソケットユニットの下底面が器具本体の下底面よりも若干取付面側へ固定されて、器具本体と取付面との間隙をソケットユニットによって隠すことができるものであって、器具本体の長手方向両端部とソケットユニットの内側板とに設けられる取付手段と；
器具本体に取り付けられるとともに、一対のソケットユニットの内側板間であってかつ、前記各凹状段部に長手方向両端部が載置されて設けられる反射板と；
を有することを特徴とする照明器具。
【発明の詳細な説明】
【０００１】
【産業上の利用分野】
本発明は２灯式等に好適な照明器具に係り、特に、部品点数の削減と、天井等への取付施工の簡単化等を主に図った照明器具に関する。
【０００２】
【従来の技術】
従来、この種の２灯式照明器具の一例としては特開昭５５−１６６８０４号公報に記載されたものがある。図５に示すように、この照明器具１は天井等にねじ止め等により固定される器具本体であるシャーシ２に、逆山形の反射板３をねじ止め等により取り付け、例えば２本の直管形の蛍光ランプ４，５の軸方向両端部の口金を２対のソケット６，７により軸方向に挟持させて、着脱自在に装着している。
【０００３】
【発明が解決しようとする課題】
しかしながら、このような従来の照明器具１では、図６に示すように各ソケット６，７をグローソケット８と共に、金属製のソケット台９にねじ止めや圧入により取り付け、さらに、このソケット台９をシャーシ２にねじ止め等により取り付けた後、これらの各ソケット６，７を、外側板を有する反射板３の各開口３ａより外方へ突出させた状態で反射板３をシャーシ２に取り付ける必要がある。また、反射板３は左右一対の外側板３ｂ，３ｃを有するために、製造時の加工工数が多く、加工作業性が低い上に、各開口３ａ内に各ソケット６，７を正しく位置決めして挿入せしめる組立作業が容易ではない。このように従来の照明器具１では部品点数が多く、そのために、この照明器具１の取付現場における組立工数が多く、その組立作業性が低い上に、取付施工作業性もさらに低いという課題がある。
【０００４】
また、シャーシ２が反っている場合、または取付天井壁が若干曲面をなしている場合等では、シャーシ２と取付天井壁との間に間隙が形成されて、外観上の美観を害する上に、この間隙に塵埃が堆積して照明器具１を汚すという課題がある。
【０００５】
そこで本発明は、このような事情を考慮してなされたもので、その目的は部品点数が少なく、加工，組立，施工の各作業性が高い照明器具を提供することにある。
【０００６】
また、他の目的は天井等の取付壁との間に間隙が形成された場合に、その間隙を隠すことができる照明器具を提供することにある。
【０００７】
【課題を解決するための手段】
本発明は前記課題を解決するために次のように構成される。
【０００８】
本願の請求項１に記載の発明（以下、第１の発明という）は、取付面に取り付けられる器具本体と；器具本体の長手方向両端部と対向する内側板と、内側板と対向するように設けられる外側板と、ソケットと、を一体に形成してなり内端縁部に凹状段部が形成されたソケットユニットと；ソケットユニットを器具本体に着脱自在かつ取付高さ調節自在に装着せしめ、器具本体と取付面とに間隙が形成された場合には、ソケットユニットの下底面が器具本体の下底面よりも若干取付面側へ固定されて、器具本体と取付面との間隙をソケットユニットによって隠すことができるものであって、器具本体の長手方向両端部とソケットユニットの内側板とに設けられる取付手段と；器具本体に取り付けられるとともに、一対のソケットユニットの内側板間であってかつ、前記各凹状段部に長手方向両端部が載置されて設けられる反射板と；を有することを特徴とする。
【００１１】
【作用】
〈第１の発明〉
ソケットユニットは側板と複数のソケットとを一体に形成しているので、部品点数を大幅に削減することができる。また、このために照明器具を組み立てる場合の組立工数と、取付現場における取付施工時の施工工数とを減少せしめて、これらの作業性を高めることができる。
【００１２】
さらに、反射板の側板はソケットユニットに一体に形成され、反射板に形成する必要がないので、一枚平板を単に山形に折曲加工することにより、反射板を形成することができる。このために、反射板の製造加工が容易となる上に、反射板を器具本体に容易に取り付けることができる。
【００１３】
そして、各ソケットユニットを器具本体に単に押し込むこと等により取付手段により装着することができる場合は、その取付を非常に簡単かつ迅速に行なうことができる。しかも、ソケットユニットの押込み量を適宜調節することにより器具本体への取付高さを調節することができるので、その押込み量を適宜調節することによりソケットと天井等の取付壁との間に間隙が形成されている場合に、その間隙を隠すことができ、外観上の美観を高めることができる。
【００１７】
【実施例】
以下、本発明の実施例を図１〜図４に基づいて説明する。なお、図１〜図４中、同一または相当部分には同一符号を付している。
【００１８】
図２は本発明に係る照明器具の一実施例の外観斜視図であり、図において、照明器具１１は天井等の取付壁１２にねじ止め等により固定される器具本体であるシャーシ１３に、図中左右一対のソケットユニット１４，１５と反射板１６とを装着している。シャーシ１３には図示しない点灯回路装置等が取り付けられる。
【００１９】
そして、一対のソケットユニット１４，１５は例えば２本の直管形蛍光ランプ１７，１８の口金を、２対のソケット１９ａと１９ｂ，２０ａと２０ｂによりランプ軸方向から着脱自在に挟持して、これら蛍光ランプ１７，１８を図示しない点灯回路に電気的に接続するようになっている。
【００２０】
各ソケットユニット１４，１５は図１と図３に示すように偏平三角筒状のユニット本体１４ａ，１５ａの内側面と外側面とを三角板により一体に閉じており、この三角形状の外側板１４ｃ，１５ｃは照明器具１１の従来の外側板をなす。また、各ソケットユニット１４，１５はユニット本体１４ａ，１５ａの図中左右の外側斜面上に、各対のソケット１９ａと１９ｂ，２０ａと２０ｂの同一側、例えば１９ａと２０ａ，１９ｂと２０ｂをそれぞれ一体に突設している。
【００２１】
一方、ソケットユニット１４，１５はその内側板１４ｂ，１５ｂに、公知の自己鎖錠端子であるＳＬ（スクリューレス（ねじなし））端子２１を各ソケット１９ａ，１９ｂ，２０ａ，２０ｂに対応して左右にそれぞれ配設している。
【００２２】
各ＳＬ端子２１は２つの小丸孔状のＳＬピン孔を、各ソケット１９ａ〜２０ｂのソケットピン孔に図示しないリード線またはリード片を介して電気的に接続しており、これらＳＬピン孔内に、図示しない点灯回路の給電線の先端部を強く挿入することにより、電気的かつ機械的に強固に接続されて、ロックされ、その抜脱が防止される一方、これらＳＬピン孔上の小角孔内に、例えばドライバーの先端部を強く押し込むことにより、この給電線のロックを解錠してその引抜を可能ならしめるものである。
【００２３】
そして、図１に示すように、ソケットユニット１４，１５の内側板１４ｂ，１５ｂには鉤状の左右一対の係止爪２２ａ，２２ｂを突設すると共に、この係止爪２２ａ，２２ｂの開口に図中縦方向から挿入される係止舌片２３をシャーシ１３の長手方向両端部に一体に形成することにより取付手段２４に構成している。
【００２４】
係止舌片２３は弾性を有し、シャーシ１３の長手方向両端部にてほぼ直角に起立するように一体に形成され、その先端部を、くの字状に若干内方へ膨出するように折曲されており、この係止舌片２３の弾性により、各ソケットユニット１４，１５のシャーシ１３への押込み量を適宜調節することができると共に、その挿入位置に固定することができるようになっている。つまり、ソケットユニット１４，１５の押込み量を適宜調節することによりシャーシ１３への取付高さを適宜調節することができるようになっている。
【００２５】
そして、反射板１６は例えば平板を三角形状に単に折曲することにより形成されているので、その長手方向両端は三角形状に開口しており、図４に示すように複数本の締付ねじ２５を、反射板１６の折曲頂部の取付孔内に挿通してから、シャーシ１３の内底面上に立設した各取付ポスト２６にねじ込むことによりシャーシ１３に取り付けられる。また、その取付の際に、反射板１６の長手方向両端縁が一対のソケットユニット１４，１５の内端縁部の凹状段部１４ｄ，１５ｄ上に載置され、ソケットユニット１４，１５の傾斜外側面と反射板１６の外面とがほぼ面一をなすようになっている。
【００２６】
また、図４に示すように一対のソケットユニット１４，１５を、その下底面（図４中下面）がシャーシ１３の下底面（図中下面）よりも図中若干下方へ位置するように固定することにより、シャーシ１３と天井等の取付壁１２との間の間隙ｇを、一対のソケットユニット１４，１５により、その側方から見えなくなるように隠すことができる。
【００２９】
そして、本実施例はソケットユニット１４，１５により、反射板１６の外側板をなす外側板１４ｃと、同一側にある２つのソケット１９ａと２０ａ，１０ｂと２０ｂとを一体に形成したので、部品点数を減少することができる。このために、照明器具１１の組立と取付現場での取付施工の各工数を減少せしめて、これらの作業性を高めることができる。
【００３０】
また、反射板１６は単なる三角形板よりなり、外側板を有しないので、反射板１６の製造加工が容易になる上に、従来例のように反射板の開口内にソケットを通す必要がなく、単に反射板１６を締付ねじ２４によりシャーシ１３に締め付ければよいので、その取付作業を容易かつ迅速に行なうことができる。
【００３１】
さらに、シャーシ１３の係止舌片２３をソケットユニット１４，１５の左右一対の係止爪２２ａ，２２ｂの開口内に単に挿入することにより、シャーシ１３にソケットユニット１４，１５を簡単に取り付けることができ、しかも、ソケットユニット１４，１５の押込み量を適宜調節することにより、シャーシ１３へのソケットユニット１４，１５の取付高さを容易に適宜調節することができる。つまり、ソケットユニット１４，１５の取付高さを適宜調節することにより、シャーシ１３と天井等の取付壁１２との間隙を容易に隠すことができる。
【００４７】
【発明の効果】
以上説明したように本発明は、側板と複数のソケットとをソケットユニットに一体に形成しているので、部品点数を大幅に削減することができる。また、このために照明器具を組み立てる場合と、取付現場における取付施工時の作業性を共に高めることができる。
【００４８】
さらに、反射板の側板はソケットユニットに一体に形成され、反射板に形成する必要がないので、一枚平板を単に山形に折曲加工することにより、反射板を形成することができる。このために、反射板の製造加工が容易となる上に、反射板を器具本体に容易に取り付けることができる。
【００４９】
そして、各ソケットユニットを器具本体に単に押し込むこと等により取付手段により装着する場合には、その取付を非常に簡単かつ迅速に行なうことができる。しかも、ソケットユニットの押込み量を適宜調節することにより器具本体への取付高さを調節することができるので、その押込み量を適宜調節することによりソケットと天井等の取付壁との間に間隙が形成される場合に、その間隙を隠して、外観上の美観を高めることができる。
【図面の簡単な説明】
【図１】図２で示す一実施例の要部分解斜視図。
【図２】本発明に係る照明器具の一実施例の組立状態を示す外観斜視図。
【図３】図１等で示すソケットユニットの背面図。
【図４】図２等で示す実施例の組立方法の一例を示す図。
【図５】従来の２灯式照明器具の斜視図。
【図６】図５で示す従来のソケットとソケット台等の分解斜視図。
【符号の説明】
１１  照明器具
１２  取付壁（天井）
１３  シャーシ（器具本体）
１４，１５  一対のソケットユニット
１６  反射板
１７，１８  蛍光ランプ
１９ａ，１９ｂ，２０ａ，２０ｂ  ２対のソケット
２１  ＳＬ端子
２２ａ，２２ｂ  係止爪
２３  係止舌片
２４  取付手段
【図１】
0004135997.tif 000002
【図２】
0004135997.tif 000003
【図３】
0004135997.tif 000004
【図４】
0004135997.tif 000005
【図５】
0004135997.tif 000006
【図６】
0004135997.tif 000007